(57)【特許請求の範囲】
【請求項１】
メディアを再生するための方法であって、
メディア再生アプリケーションの再生ボタンのエリア上において、ユーザによって実行されたタッチの持続時間が、第1のプリセット持続時間に達したことを検出するステップと、それに応答して、再生回数の数を設定する機能を有効にするステップと、
前記メディア再生アプリケーションの前記再生ボタンの前記エリア上において、前記ユーザによって実行された前記タッチを連続的に検出するステップと、
前記メディア再生アプリケーションの前記再生ボタンの前記エリア上において、前記ユーザによって実行された前記タッチの前記持続時間に従って、メディアの前記再生回数の数を決定するステップと、
前記メディアの前記再生回数の数を表示するステップと、
前記再生回数の数に従って前記メディアを再生するステップと、
を備え、再生回数の初期数は1である方法。
【請求項２】
前記メディアは、
端末によって現在再生されているオーディオファイルまたはビデオファイルを備え、
前記再生回数の数に従って前記メディアを再生するステップは、
前記端末によって現在再生されている前記オーディオファイルまたは前記ビデオファイルを、前記再生回数の数に達するまで再生するステップを備える、請求項1に記載のメディアを再生するための方法。
【請求項３】
前記メディアは、
再生されるべきであると選択されたオーディオファイル、または、再生されるべきであると選択されたビデオファイルを備え、
前記再生回数の数に従って前記メディアを再生するステップは、
前記再生されるべきであると選択されたオーディオファイル、または、前記再生されるべきであると選択されたビデオファイルを、前記再生回数の数に達するまで再生するステップを備える、請求項1に記載のメディアを再生するための方法。
【請求項４】
前記メディアが前記再生回数の数に従って再生されている場合、前記ユーザによって入力されたキャンセル命令が受信されると、前記再生回数の数に従って実行される前記メディアの再生が停止される、請求項1から3のいずれか一項に記載のメディアを再生するための方法。
【請求項５】
前記再生回数の数に従って前記メディアを再生するステップの後、または、前記ユーザによって入力されたキャンセル命令が受信され、前記再生回数の数に従って実行される前記メディアの再生が停止された後、前記方法はさらに、
メディアリストおよびプリセット再生ルールに従って、前記メディアリストにおけるメディアを再生するステップを備える、請求項1から4のいずれか一項に記載のメディアを再生するための方法。
【請求項６】
メディアを再生するための端末であって、
メディア再生アプリケーションの再生ボタンのエリア上において、ユーザによって実行されたタッチの持続時間が、第1のプリセット持続時間に達したことを検出する手段と、
それに応答して、再生回数の数を設定する機能を有効にする手段と、
前記メディア再生アプリケーションの前記再生ボタンの前記エリア上において、前記ユーザによって実行された前記タッチを連続的に検出する手段と、
前記メディア再生アプリケーションの前記再生ボタンの前記エリア上において、前記ユーザによって実行された前記タッチの前記持続時間に従って、メディアの前記再生回数の数を決定する手段と、
前記メディアの前記再生回数の数を表示する手段と、
前記再生回数の数に従って前記メディアを再生する手段と、
を備え、再生回数の初期数は1である端末。
【請求項７】
前記メディアは、
端末によって現在再生されているオーディオファイルまたはビデオファイルを備え、
前記再生回数の数に従って前記メディアを再生する手段は、
前記端末によって現在再生されている前記オーディオファイルまたは前記ビデオファイルを、前記再生回数の数に達するまで再生する手段を備える、請求項6に記載のメディアを再生するための端末。
【請求項８】
前記メディアは、
再生されるべきであると選択されたオーディオファイル、または、再生されるべきであると選択されたビデオファイルを備え、
前記再生回数の数に従って前記メディアを再生する手段は、
前記再生されるべきであると選択されたオーディオファイル、または、前記再生されるべきであると選択されたビデオファイルを、前記再生回数の数に達するまで再生する手段を備える、請求項6に記載のメディアを再生するための端末。
【請求項９】
前記端末は、前記メディアを前記再生回数の数に従って再生する場合、前記ユーザによって入力されたキャンセル命令が受信されると、前記再生回数の数に従って、前記メディアの再生を停止する手段をさらに備える、請求項6に記載のメディアを再生するための端末。
【請求項１０】
前記端末は、前記再生回数の数に従って前記メディアを再生した後、または、前記再生回数の数に従って実行される前記メディアの再生が停止された後、メディアリストおよびプリセット再生ルールに従って、前記メディアリストにおけるメディアを再生する手段をさらに備える、請求項6に記載のメディアを再生するための端末。
【発明の詳細な説明】
【技術分野】
【０００１】
本発明は、通信技術の分野に関し、特に、メディアを再生するための方法および端末に関する。
【背景技術】
【０００２】
端末の急速な発展により、写真の撮影、インターネットのサーフィン、ビデオの再生、音楽の再生のような増加中の機能が、端末に統合される。既存の端末のメディア再生能力はますます強力になり、メディア再生効果が進化し、いくつかの端末は、良好な可搬性を有し、したがって、ますます大勢のユーザが、メディアを再生するために端末を使用している。
【０００３】
ユーザがメディアを再生するプロセスでは、ユーザが1回よりも多く聞きたいまたは見たいメディアを、ユーザが聞くまたは見る場合には、端末上の操作は比較的複雑である。ユーザが曲を聞く例が、以下の記述のために使用される。先行技術では、ユーザは、音楽アプリケーションを入力し、音楽再生モードを単一サイクルモードに切り換えるために、音楽再生モードをタップする必要がある。このように、ユーザが好きな曲は、繰り返し再生され得るが、エンドレスに繰り返される。繰り返し再生が停止される必要がある場合、ユーザは、操作を再度実行する必要があり、手順は比較的複雑である。別の手法は、ユーザが好きな曲が再生された後、ユーザは、ユーザが好きな曲へ戻ってリプレイするために、前の曲をタップする。再生が終了した後、ユーザが、この曲を再び聞きたいのであれば、ユーザは、前述した操作を繰り返す必要がある。これは、ユーザにとって大いなる不便をもたらす。したがって、メディアを再生するための既存の方法および端末の操作は、十分に便利ではない。
【発明の概要】
【課題を解決するための手段】
【０００４】
本発明の実施形態は、メディアを再生するための方法および端末を提供する。これは、端末においてメディアを再生するための方法は不完全で便利ではないという問題を解決し得る。
【０００５】
本発明の実施形態の第1の態様は、
再生回数の数を設定する機能を有効にするステップと、
ユーザの入力コマンドを検出し、入力コマンドに従って、メディアの再生回数の数を決定するステップと、
再生回数の数に従ってメディアを再生するステップとを含む、メディアを再生するための方法を提供する。
【０００６】
第1の態様の第1の可能な実施方式では、メディアは、
端末によって現在再生されているオーディオファイルまたはビデオファイルを含み、
再生回数の数に従ってメディアを再生するステップは、
端末によって現在再生されているオーディオファイルまたはビデオファイルを、再生回数の数に達するまで再生するステップを含む。
【０００７】
第1の態様の第2の可能な実施方式では、メディアは、
再生されるべきであると選択されたオーディオファイル、または、再生されるべきであると選択されたビデオファイルを含み、
再生回数の数に従ってメディアを再生するステップは、
再生されるべきであると選択されたオーディオファイル、または、再生されるべきであると選択されたビデオファイルを、再生回数の数に達するまで再生するステップを含む。
【０００８】
第1の態様を参照して、すなわち、第1の態様の第1または第2の可能な実施方式を参照して、第3の可能な実施方式では、再生回数の数を設定する機能を有効にするステップの前に、この方法はさらに、以下のステップ、すなわち、
音声を使用することによってユーザによって入力されたプリセットコマンドを検出するステップと、
端末の移動軌跡が、プリセット軌跡と合致していることを検出するステップと、
端末のタッチディスプレイスクリーンのプリセットエリア上において、ユーザによって実行されたタップ操作を検出するステップと、
端末上においてユーザによって実行されたノック操作を検出するステップと、
端末のタッチディスプレイスクリーンのプリセットエリア上において、ユーザによって実行されたスライド操作を検出するステップと、
端末のタッチディスプレイスクリーンのプリセットエリア上において、ユーザによって実行された選択操作のための持続時間が、第1のプリセット持続時間に達したことを検出するステップと、
端末の指定されたキー上において、ユーザによって実行された押圧操作を検出するステップと、
端末のタッチディスプレイスクリーンのプリセットエリアに触れたユーザの指の数が、プリセット数に達したことを検出するステップと、のうちの少なくとも1つを含む。
【０００９】
第1の態様を参照して、すなわち、第1の態様の第1、第2、または第3の可能な実施方式を参照して、第4の可能な実施方式では、ユーザの入力コマンドを検出し、入力コマンドに従って、メディアの再生回数の数を決定するステップは、以下のステップ、すなわち、
音声を使用することによってユーザによって入力された再生回数の数を検出し、メディアの再生回数の数が、音声を使用することによって入力された再生回数の数であると判定するステップと、
端末のタッチディスプレイスクリーンのプリセットエリアに触れたユーザの指の数を検出し、メディアの再生回数の数が、指の数であると判定するステップと、
ユーザによって端末を振った回数の数を検出し、メディアの再生回数の数が、ユーザによって端末を振った回数の数であると判定するステップと、
ユーザによって端末のタッチディスプレイスクリーンのプリセットエリアをタップした回数の数を検出し、メディアの再生回数の数が、タップ回数の数であると判定するステップと、
端末のタッチディスプレイスクリーンのプリセットエリア上において、ユーザによって実行されたスライド操作の軌跡を検出し、スライド操作の軌跡の長さに従って、または、軌跡の長さおよび方向に従って、メディアの再生回数の数を決定するステップと、
端末のタッチディスプレイスクリーンのプリセットエリア上において、ユーザによって実行された選択のための持続時間を検出し、選択のための持続時間に従って、メディアの再生回数の数を決定するステップと、
端末のタッチディスプレイスクリーンのプリセットエリア上において、ユーザによって選択された2つのポイント間の距離を検出し、この距離に従って、メディアの再生回数の数を決定するステップと、のうちのいずれか1つを含む。
【００１０】
第1の態様を参照して、すなわち、第1の態様の第1または第2の可能な実施方式を参照して、第5の可能な実施方式では、再生回数の数を設定する機能を有効にするステップの前に、この方法はさらに、
端末のタッチディスプレイスクリーンのプリセットエリア上において、ユーザによって実行された選択操作のための持続時間が、第1のプリセット持続時間に達したことを検出するステップを含み、
ユーザの入力コマンドを検出し、入力コマンドに従って、メディアの再生回数の数を決定するステップは、
端末のタッチディスプレイスクリーンのプリセットエリア上において、ユーザによって実行された選択操作を連続的に検出し、選択操作のための持続時間に従って、メディアの再生回数の数を決定するステップを含む。
【００１１】
第1の態様を参照して、すなわち、第1の態様の第1または第2の可能な実施方式を参照して、第6の可能な実施方式では、再生回数の数を設定する機能を有効にするステップの前に、この方法はさらに、
端末のタッチディスプレイスクリーンのプリセットエリア上において、ユーザによって実行されたスライド操作を検出するステップを含み、
ユーザの入力コマンドを検出し、入力コマンドに従って、メディアの再生回数の数を決定するステップは、
端末のタッチディスプレイスクリーンのプリセットエリア上において、ユーザによって実行されたスライド操作を連続的に検出するステップと、
スライド操作の軌跡の方向および長さに従って、メディアの再生回数の数を調節するステップと、を含む。
【００１２】
第1の態様を参照して、すなわち、第1の態様の第1、第2、第3、第4、第5、または第6の可能な実施方式を参照して、第7の可能な実施方式では、メディアの再生回数の数を決定するステップの後、この方法はさらに、
メディアの再生回数の数を表示するステップを含む。
【００１３】
第1の態様を参照して、すなわち、第1の態様の第1、第2、第3、第4、第5、第6、または第7の可能な実施方式を参照して、第8の可能な実施方式では、メディアが再生回数の数に従って再生されている場合、ユーザによって入力されたキャンセル命令が受信されると、再生回数の数に従って実行されるメディアの再生が停止される。
【００１４】
第1の態様を参照して、すなわち、第1の態様の第1、第2、第3、第4、第5、第6、第7、または第8の可能な実施方式を参照して、第9の可能な実施方式では、再生回数の数に従ってメディアを再生するステップの後、または、ユーザによって入力されたキャンセル命令が受信され、再生回数の数に従って実行されるメディアの再生が停止された後、この方法はさらに、
メディアリストおよびプリセット再生ルールに従って、メディアリストにおけるメディアを再生するステップを含む。
【００１５】
本発明の実施形態の第2の態様は、
再生回数の数を設定する機能を有効にするように構成された有効化ユニットと、
ユーザの入力コマンドを検出し、入力コマンドに従って、メディアの再生回数の数を決定するように構成された第1の検出ユニットと、
再生回数の数に従ってメディアを再生するように構成された再生ユニットとを含む、メディアを再生するための端末を提供する。
【００１６】
第2の態様の第1の可能な実施方式では、メディアは、
端末によって現在再生されているオーディオファイルまたはビデオファイルを含み、
再生ユニットは特に、
端末によって現在再生されているオーディオファイルまたはビデオファイルを、再生回数の数に達するまで再生するように構成される。
【００１７】
第2の態様の第2の可能な実施方式では、メディアは、
再生されるべきであると選択されたオーディオファイル、または、再生されるべきであると選択されたビデオファイルを含み、
再生ユニットは特に、
再生されるべきであると選択されたオーディオファイル、または、再生されるべきであると選択されたビデオファイルを、再生回数の数に達するまで再生するように構成される。
【００１８】
第2の態様を参照して、すなわち、第2の態様の第1または第2の可能な実施方式を参照して、第3の可能な実施方式では、端末はさらに、
有効化ユニットが、再生回数の数を設定する機能を有効にする前に、以下のステップ、すなわち、
音声を使用することによってユーザによって入力されたプリセットコマンドを検出するステップと、
端末の移動軌跡が、プリセット軌跡と合致していることを検出するステップと、
端末のタッチディスプレイスクリーンのプリセットエリア上において、ユーザによって実行されたタップ操作を検出するステップと、
端末上においてユーザによって実行されたノック操作を検出するステップと、
端末のタッチディスプレイスクリーンのプリセットエリア上において、ユーザによって実行されたスライド操作を検出するステップと、
端末のタッチディスプレイスクリーンのプリセットエリア上において、ユーザによって実行された選択操作のための持続時間が、第1のプリセット持続時間に達したことを検出するステップと、
端末の指定されたキー上において、ユーザによって実行された押圧操作を検出するステップと、
端末のタッチディスプレイスクリーンのプリセットエリアに触れたユーザの指の数が、プリセット数に達したことを検出するステップと、のうちの少なくとも1つを実行するように構成された第2の検出ユニットを含む。
【００１９】
第2の態様を参照して、すなわち、第2の態様の第1、第2、または第3の可能な実施方式を参照して、第4の可能な実施方式では、第1の検出ユニットは特に、以下のステップ、すなわち、
音声を使用することによってユーザによって入力された再生回数の数を検出し、メディアの再生回数の数が、音声を使用することによって入力された再生回数の数であると判定するステップと、
端末のタッチディスプレイスクリーンのプリセットエリアに触れたユーザの指の数を検出し、メディアの再生回数の数が、指の数であると判定するステップと、
ユーザによって端末を振った回数の数を検出し、メディアの再生回数の数が、ユーザによって端末を振った回数の数であると判定するステップと、
ユーザによって端末のタッチディスプレイスクリーンのプリセットエリアをタップした回数の数を検出し、メディアの再生回数の数が、タップ回数の数であると判定するステップと、
端末のタッチディスプレイスクリーンのプリセットエリア上において、ユーザによって実行されたスライド操作の軌跡を検出し、スライド操作の軌跡の長さに従って、または、軌跡の長さおよび方向に従って、メディアの再生回数の数を決定するステップと、
端末のタッチディスプレイスクリーンのプリセットエリア上において、ユーザによって実行された選択のための持続時間を検出し、選択のための持続時間に従って、メディアの再生回数の数を決定するステップと、
端末のタッチディスプレイスクリーンのプリセットエリア上において、ユーザによって選択された2つのポイント間の距離を検出し、この距離に従って、メディアの再生回数の数を決定するステップと、のうちのいずれか1つを実行するように構成される。
【００２０】
第2の態様を参照して、すなわち、第2の態様の第1または第2の可能な実施方式を参照して、第5の可能な実施方式では、有効化ユニットが、再生回数の数を設定する機能を有効にする前に、第2の検出ユニットは特に、
端末のタッチディスプレイスクリーンのプリセットエリア上において、ユーザによって実行された選択操作のための持続時間が、第1のプリセット持続時間に達したことを検出するように構成され、
第1の検出ユニットは特に、
端末のタッチディスプレイスクリーンのプリセットエリア上において、ユーザによって実行された選択操作を連続的に検出し、選択操作のための持続時間に従って、メディアの再生回数の数を決定するように構成される。
【００２１】
第2の態様を参照して、すなわち、第2の態様の第1または第2の可能な実施方式を参照して、第6の可能な実施方式では、有効化ユニットが、再生回数の数を設定する機能を有効にする前に、第2の検出ユニットは特に、
端末のタッチディスプレイスクリーンのプリセットエリア上において、ユーザによって実行されたスライド操作を検出するように構成され、
第1の検出ユニットは特に、
端末のタッチディスプレイスクリーンのプリセットエリア上において、ユーザによって実行されたスライド操作を連続的に検出し、
スライド操作の軌跡の方向および長さに従って、メディアの再生回数の数を調節するように構成される。
【００２２】
第2の態様を参照して、すなわち、第2の態様の第1、第2、第3、第4、第5、または第6の可能な実施方式を参照して、第7の可能な実施方式では、端末はさらに、
第1の検出ユニットがメディアの再生回数の数を決定した後、メディアの再生回数の数を表示するように構成されたディスプレイユニットを含む。
【００２３】
第2の態様を参照して、すなわち、第2の態様の第1、第2、第3、第4、第5、第6、または第7の可能な実施方式を参照して、第8の可能な実施方式では、端末はさらに、
再生ユニットが、再生回数の数に従ってメディアを再生している場合、ユーザによって入力されたキャンセル命令が受信されると、再生回数の数に従って実行されるメディアの再生を停止するように構成されたキャンセルユニットを含む。
【００２４】
第2の態様を参照して、すなわち、第2の態様の第1、第2、第3、第4、第5、第6、第7、または第8の可能な実施方式を参照して、第9の可能な実施方式では、再生ユニットが、再生回数の数に従ってメディアを再生した後、または、ユーザによって入力されたキャンセル命令が受信され、キャンセルユニットが、再生回数の数に従って実行されるメディアの再生を停止した後、再生ユニットはさらに、
メディアリストおよびプリセット再生ルールに従って、メディアリストにおけるメディアを再生するように構成される。
【００２５】
本発明の実施形態の第3の態様は、メディアを再生するための端末を提供し、この端末は、
再生回数の数を設定する機能を有効にするように構成されたプロセッサと、
ユーザの入力コマンドを検出するように構成された入力装置とを含み、
プロセッサはさらに、入力コマンドに従って、メディアの再生回数の数を決定し、再生回数の数に従ってメディアを再生するようにメディア出力装置に命令するように構成され、
端末はさらに、再生回数の数に従ってメディアを再生するように構成されたメディア再生装置を含み得る。
【００２６】
第3の態様の第1の可能な実施方式では、メディアは、
端末によって現在再生されているオーディオファイルまたはビデオファイルを含み、
メディア再生装置は特に、
端末によって現在再生されているオーディオファイルまたはビデオファイルを、再生回数の数に達するまで再生するように構成される。
【００２７】
第3の態様の第2の可能な実施方式では、メディアは、
再生されるべきであると選択されたオーディオファイル、または、再生されるべきであると選択されたビデオファイルを含み、
メディア再生装置は特に、
再生されるべきであると選択されたオーディオファイル、または、再生されるべきであると選択されたビデオファイルを、再生回数の数に達するまで再生するように構成される。
【００２８】
第3の態様を参照して、すなわち、第3の態様の第1または第2の可能な実施方式を参照して、第3の可能な実施方式では、入力装置はさらに、
プロセッサが再生回数の数を設定する機能を有効にする前に、以下のステップ、すなわち、
音声を使用することによってユーザによって入力されたプリセットコマンドを検出するステップと、
端末の移動軌跡が、プリセット軌跡と合致していることを検出するステップと、
端末のタッチディスプレイスクリーンのプリセットエリア上において、ユーザによって実行されたタップ操作を検出するステップと、
端末上においてユーザによって実行されたノック操作を検出するステップと、
端末のタッチディスプレイスクリーンのプリセットエリア上において、ユーザによって実行されたスライド操作を検出するステップと、
端末のタッチディスプレイスクリーンのプリセットエリア上において、ユーザによって実行された選択操作のための持続時間が、第1のプリセット持続時間に達したことを検出するステップと、
端末の指定されたキー上において、ユーザによって実行された押圧操作を検出するステップと、
端末のタッチディスプレイスクリーンのプリセットエリアに触れたユーザの指の数が、プリセット数に達したことを検出するステップと、のうちの少なくとも1つを実行するように構成される。
【００２９】
第3の態様を参照して、すなわち、第3の態様の第1、第2、または第3の可能な実施方式を参照して、第4の可能な実施方式では、入力装置は特に、音声を使用することによってユーザによって入力された再生回数の数を検出するように構成され、プロセッサは特に、メディアの再生回数の数が、音声を使用することによって入力された再生回数の数であると判定するように構成されるか、または、
入力装置は特に、端末のタッチディスプレイスクリーンのプリセットエリアに触れたユーザの指の数を検出するように構成され、プロセッサは特に、メディアの再生回数の数が、指の数であると判定するように構成されるか、または、
入力装置は特に、ユーザによって端末を振った回数の数を検出するように構成され、プロセッサは特に、メディアの再生回数の数が、ユーザによって端末を振った回数の数であると判定するように構成されるか、または、
入力装置は特に、ユーザによって端末のタッチディスプレイスクリーンのプリセットエリアをタップした回数の数を検出するように構成され、プロセッサは特に、メディアの再生回数の数が、タップ回数の数であると判定するように構成されるか、または、
入力装置は特に、端末のタッチディスプレイスクリーンのプリセットエリア上において、ユーザによって実行されたスライド操作の軌跡を検出するように構成され、プロセッサは特に、スライド操作の軌跡の長さに従って、メディアの再生回数の数を決定するように構成されるか、または、
入力装置は特に、端末のタッチディスプレイスクリーンのプリセットエリア上において、ユーザによって実行された選択のための持続時間を検出するように構成され、プロセッサは特に、選択のための持続時間に従って、メディアの再生回数の数を決定するように構成されるか、または、
入力装置は特に、端末のタッチディスプレイスクリーンのプリセットエリア上において、ユーザによって選択された2つのポイント間の距離を検出するように構成され、プロセッサは特に、この距離に従って、メディアの再生回数の数を決定するように構成される。
【００３０】
第3の態様を参照して、すなわち、第3の態様の第1または第2の可能な実施方式を参照して、第5の可能な実施方式では、入力装置は特に、
端末のタッチディスプレイスクリーンのプリセットエリア上において、ユーザによって実行された選択操作のための持続時間が、第1のプリセット持続時間に達したことを検出するように構成され、
プロセッサは特に、
入力装置が、端末のタッチディスプレイスクリーンのプリセットエリア上において、ユーザによって実行された選択操作のための持続時間が、第1のプリセット持続時間に達したことを検出した後、再生回数の数を設定する機能を有効にするように構成され、
入力装置は特に、
端末のタッチディスプレイスクリーンのプリセットエリア上において、ユーザによって実行された選択操作を連続的に検出するように構成され、
プロセッサは特に、
選択操作のための持続時間に従って、メディアの再生回数の数を決定するように構成される。
【００３１】
第3の態様を参照して、すなわち、第3の態様の第1または第2の可能な実施方式を参照して、第6の可能な実施方式では、入力装置は特に、
端末のタッチディスプレイスクリーンのプリセットエリア上において、ユーザによって実行されたスライド操作を検出するように構成され、
プロセッサは特に、
入力装置が、端末のタッチディスプレイスクリーンのプリセットエリア上において、ユーザによって実行されたスライド操作を検出した後、再生回数の数を設定する機能を有効にするように構成され、
入力装置は特に、
端末のタッチディスプレイスクリーンのプリセットエリア上において、ユーザによって実行されたスライド操作を連続的に検出するように構成され、
プロセッサは特に、
スライド操作の軌跡の方向および長さに従って、または、軌跡の長さおよび方向に従って、メディアの再生回数の数を調節するように構成される。
【００３２】
第3の態様を参照して、すなわち、第3の態様の第1、第2、第3、第4、第5、または第6の可能な実施方式を参照して、第7の可能な実施方式では、端末はさらに、
プロセッサがメディアの再生回数の数を決定した後、メディアの再生回数の数を表示するように構成されたディスプレイスクリーンを含む。
【００３３】
第3の態様を参照して、すなわち、第3の態様の第1、第2、第3、第4、第5、第6、または第7の可能な実施方式を参照して、第8の可能な実施方式では、入力装置はさらに、メディア再生装置が、再生回数の数に従ってメディアを再生している場合に、ユーザによって入力されたキャンセル命令を受信するように構成され、
プロセッサはさらに、再生回数の数に従って実行されるメディアの再生を停止するようにメディア再生装置に命令するように構成され、
メディア再生装置はさらに、再生回数の数に従って実行されるメディアの再生を、プロセッサの命令に従って停止させるように構成される。
【００３４】
第3の態様を参照して、すなわち、第3の態様の第1、第2、第3、第4、第5、第6、第7、または第8の可能な実施方式を参照して、第9の可能な実施方式では、メディア再生装置が、再生回数の数に従ってメディアを再生した後、または、入力装置が、ユーザによって入力されたキャンセル命令を受信し、プロセッサが、メディア再生装置に対して、再生回数の数に従って実行されるメディアの再生を停止するように命令した後、メディア再生装置はさらに、
メディアリストおよびプリセット再生ルールに従って、メディアリストにおけるメディアを再生するように構成される。
【００３５】
本発明の実施形態を実施することによって、再生回数の数を設定する機能が端末上に構成され、メディアの再生回数の数が、ユーザの検出された入力コマンドに従って決定され、最後に、再生回数の決定された数に従って、メディアが再生される。これは、端末上においてメディアを再生するための既存の方法を改善し、メディアの再生回数の数が、直接的かつ便利に設定されることを可能にし、端末の利便性および有用性を高める。
【図面の簡単な説明】
【００３６】
本発明の実施形態または先行技術における技術的解決策をより明確に記述するために、以下は、実施形態または先行技術を記述するために必要とされる添付図面を簡潔に紹介する。明らかに、以下の記述における添付図面は、単に本発明のいくつかの実施形態しか図示しておらず、当業者であれば、創造的な努力なくこれら添付図面から他の図面を導出し得る。
【００３７】
【図１】本発明に従ってメディアを再生するための方法の第1の実施形態の概要フローチャートである。
【図２】本発明に従ってメディアを再生するための方法の第2の実施形態の概要フローチャートである。
【図３】本発明に従ってメディアを再生するための方法の第3の実施形態の概要フローチャートである。
【図４】本発明に従ってメディアを再生するための方法の第4の実施形態の概要フローチャートである。
【図５】図2におけるメディアを再生するための方法が、操作を実行するために使用される場合におけるディスプレイインターフェースの概要図である。
【図６】図3におけるメディアを再生するための方法が、操作を実行するために使用される場合における別のディスプレイインターフェースの概要図である。
【図７】本発明に従ってメディアを再生するための端末の第1の実施形態の構成の概要図である。
【図８】本発明に従ってメディアを再生するための端末の第2の実施形態の構成の概要図である。
【図９】本発明に従ってメディアを再生するための端末の第3の実施形態の構成の概要図である。
【図１０】本発明に従ってメディアを再生するための端末の第4の実施形態の構成の概要図である。
【発明を実施するための形態】
【００３８】
以下は、本発明の実施形態において、添付図面を参照して、本発明の実施形態における技術的解決策を明確かつ十分に記述する。明らかに、記述された実施形態は、本発明の実施形態の単なるいくつかであって、すべてではない。創造的な努力なく本発明の実施形態に基づいて当業者によって取得される他のすべての実施形態は、本発明の保護範囲内にあるものとする。
【００３９】
本発明の実施形態における端末は、パーソナルコンピュータ(Personal Computer、略してPC)、タブレットコンピュータ、モバイル電話、PDA(Personal Digital Assistant、携帯情報端末)、eリーダ、ラップトップコンピュータ、または、車載端末のようなデバイスを含み得る。
【００４０】
前述した端末は、入力装置および出力装置を含む。入力装置は、限定されないが、ディスプレイスクリーン、タッチスクリーン、ソフトキーボード、仮想制御、物理的なキーボード、(音量制御キーまたはオン/オフキーのような)ファンクションキー、トラックボール、マウス、ジョイスティック、カメラ、マイクロホン、および、将来の技術を使用して実現され得る入力装置を含む。出力装置は、限定されないが、ディスプレイスクリーン、タッチスクリーン、ラウドスピーカ等、および、将来の技術を使用して実現され得る出力装置を含む。
【００４１】
本発明の実施形態におけるメディアは、オーディオファイル、ビデオファイル、動的な画像、またはアニメーションを含む。オーディオファイルは、音楽、音声、特別の音響効果等を含むファイルである。ビデオファイルは、一連の画像を含み、音を含むことがあり得るか、または、音を含んでいないこともあり得る。メディアは、端末によって現在再生されている、または、再生されるべきであると選択されたメディアであり得る。すなわち、本発明の実施形態では、メディアが再生されている場合、メディアの再生回数の数がMに設定され、そして、この設定後、メディアはさらに、M-1回、再生される必要があり得る。または、メディアまたはいくつかのメディアが、メディア再生の前に選択され得、メディアの再生回数の数がMに設定され得、この設定後、選択されたメディア、または、選択されたいくつかのメディアが、直ちに、かつ連続して、M回再生される。または、選択されたメディア、または、選択されたいくつかのメディアが、その後再生される場合、選択されたメディア、または、選択されたいくつかのメディアが、M回連続的に再生される。ここで、Mは、0よりも大きな整数である。オプションとして、選択されたメディアを連続的に再生することに加えて、選択されたメディアはまた、M回に達するまで不連続的に再生され得る。本発明の実施形態において、連続的な再生とは、メディアが再生された後、メディアを、最初から最後まで何度も繰り返し再生することを意味する。多数のメディアの連続再生のために、各メディアは、個別にかつ連続的に再生され得る。たとえば、再生リストにおいて、5つのメディア1、2、3、4および5が、順に再生される必要があり、メディア2が2回再生されるべきであり、メディア4が3回再生されるべきであると設定されているのであれば、連続して再生されるべきコンテンツは、メディア1、2、2、3、4、4、4および5であり得る。
【００４２】
本発明の実施形態における不連続な再生は、選択されたメディアを再生するM回の間の1つまたは複数の他のメディアをインターカットし得る。すなわち、1つまたは複数の他のメディアが、選択されたメディアを再生する2つの隣接する回数間でインターカットされ得るか、または、不連続な再生は、たとえば、選択されたメディアの1回目の再生と、選択されたメディアの2回目の再生との間の別のメディアをインターカットするように、1つまたは複数の他のメディアをランダムにインターカットし、その後、選択されたメディアの3回目および4回目の再生を行い得る。インターカットされたメディアは、ランダムに選択されたメディア、または、再生リストにおいて選択されたメディアに続く別のメディアであり得る。たとえば、再生リストにおいて、5つのメディア1、2、3、4および5が、順に再生される必要があり、メディア2が2回再生されるべきであり、メディア4が3回再生されるべきであると設定されているのであれば、連続して再生されるべきコンテンツは、メディア1、2、3、2、4、5、4および4、または1、2、4、2、3、4、5および4、等であり得る。当業者はまた、前述した記述に従って、別の不連続な再生方式をも把握し得ることが理解され得る。
【００４３】
プロセッサの命令に従って、メディア再生装置は、プロセッサまたはメモリから、再生されるべきメディアを獲得し、再生されるべきメディアに対して対応する処理(たとえば、デコードまたはデジタル-アナログ変換)を実行し、再生を実行するため、メディアに対応する音信号および/またはビデオ信号を生成し得る。ビデオを再生するために、メディア出力装置は、メディアデータ処理機能を有するチップと、画像出力機能を有する出力装置(たとえば、ディスプレイスクリーンまたはタッチスクリーン)とを含み得る。ビデオが音を含んでいるのであれば、メディア出力装置はさらに、オーディオ出力機能を備えた出力装置(たとえば、ラウドスピーカ)を含み、および、有し得る。オーディオのみが再生される必要があるのであれば、メディア出力装置は、メディアデータ処理機能を有するチップと、オーディオ出力機能を有する出力装置とを含み、オプションとして、メディア出力装置はさらに、オーディオ再生インターフェースのようなコンテンツを表示するための、画像出力機能を備えた出力装置を含み得る。
【００４４】
再生回数の数を設定する機能は、メディアの再生回数の数を設定するためにユーザによって使用される機能である。この機能が有効とされた場合、ユーザは、音声およびタッチのような多数の入力方式で、メディアの再生回数の数を設定し得る。設定されたメディアは、端末によって現在再生されているメディアであり得る。すなわち、メディア再生プロセスでは、メディアの再生回数の数が、Mに設定される。そして、この設定の完了後、この再生の終了後、メディアは、M-1回、連続的または不連続的に再生され続け得る。あるいは、設定されたメディアが、再生されるべきメディアでもあり得る。すなわち、メディアが再生される前に、メディアの再生回数の数がプリセットされ得、メディアの再生回数の数がMに設定されると、その後このメディアを再生する順番になった場合、このメディアは、M回、連続的または不連続的に再生され得る。
【００４５】
本発明の実施形態では、ユーザの端末への音声入力を検出するステップは、端末が、ユーザ音声を受信し得るマイクロホンのような入力デバイスを使用することによってユーザ音声を獲得し、獲得された音声を、プロセッサのようなデバイスを使用することによって処理および識別し、音声がプリセットコマンドまたは再生回数の数に関連する情報を含んでいるか否かを判定することを称する。その特定の実施のために、音声認識に関する先行技術に対する参照がなされ得、本明細書では詳細は再度記述されない。ユーザがプリセットコマンドを入力したことが検出された場合、再生回数の数を設定する機能が有効とされ得る。オプションとして、音声を使用することによってユーザによって入力された再生回数の数が検出された場合、メディアの再生回数の数は、音声を使用することによって入力された再生回数の数であるとさらに判定され得る。
【００４６】
本発明の実施形態では、端末の移動軌跡が、プリセット軌跡と合致しているか否かを検出するステップは、端末が、1つまたは複数のタイプのセンサを使用することによって端末の移動軌跡を検出し、その後、移動軌跡がプリセット軌跡であるか否かを判定することを称する。たとえば、プリセット軌跡は、垂直下降移動(ユーザが端末を下方に投げる)、垂直上昇移動(ユーザが端末を上方に投げる)後の自由落下、水平方向における前後移動(ユーザが端末を水平方向に振る)、または、垂直方向における前後移動(ユーザが端末を垂直方向に振る)である。端末の移動軌跡が、プリセット軌跡と合致するのであれば、再生回数の数を設定する機能が有効とされ得る。端末の移動軌跡を検出する前述した方法は、先行技術において多数の方式で実現されてよく、本発明の実施形態において限定されない。
【００４７】
端末のタッチディスプレイスクリーンのプリセットエリア上において、ユーザによって実行されたタップ操作と、プリセットエリアをタップした回数の数とを検出するステップは、端末が、タッチディスプレイスクリーンのプリセットエリアの関連するパラメータ変化(たとえば、キャパシタンスまたは抵抗の変化)に従って、タッチディスプレイスクリーンのプリセットエリア上において、ユーザによって実行されたタップ操作を検出することを称する。ユーザのタップ回数の数は、プリセットエリアの関連するパラメータ変化(たとえば、キャパシタンスまたは抵抗の変化の回数の数)に関する統計を収集することによって取得され得る。オプションとして、タップ回数の数が、再生回数の数を設定する機能を有効にするためのトリガの回数の数と一致するか否かが判定され、一致するのであれば、再生回数の数を設定する機能が有効とされる。オプションとして、メディアの再生回数の数はまた、タップ回数の数に従って設定され得る。プリセットエリアは、たとえば、再生ボタンの上方または下方のエリア、または、タッチディスプレイスクリーンの上端、下端、左端、または右端のように、メディア再生アプリケーションのディスプレイインターフェース上の指定されたエリアであり得るか、または、たとえば、端末のデスクトップ上のアプリケーションアイコンのないエリア、または、端末のロックスクリーンインターフェース上における任意のエリアのように、端末のデスクトップ上、または、端末のロックスクリーンインターフェース上における指定されたエリアであり得る。タップのための前述したプリセットエリアは、別のアプリケーションまたは機能とのコンフリクトがなく、端末の現在のディスプレイインターフェース上にあるエリアであり得る。または、メディアアプリケーションのために、より高いまたはより低い優先度が設定され得、タップするためのエリアと、別のアプリケーションまたは機能との間にコンフリクトが存在する場合、優先度に従って応答および処理が実行される。これは、本発明の実施形態において限定されない。
【００４８】
端末上においてユーザによって実行されるノック操作と、ノック回数の数とを検出するステップは、端末が、1つまたは複数のタイプのセンサを使用することによって端末の振動を検出し、その後、振動回数の数が、再生回数の数を設定する機能を有効にするためのトリガの回数の数に達したか否かを判定することを称する。ノック位置は、端末のハウジングまたはディスプレイスクリーンであり得る。センサによって検出された振動回数の数が、再生回数の数を設定する機能を有効にするためのトリガの回数の数に達したのであれば、再生回数の数を設定する機能が有効とされ得る。オプションとして、メディアの再生回数の数はまた、ノック回数の数に従って設定され得る。端末の振動を検出するための前述した方法は、先行技術において多数の方式で実現され得る。これは、本発明の実施形態では限定されない。
【００４９】
端末のタッチディスプレイスクリーンのプリセットエリア上において、ユーザによって実行されるスライド操作を検出するステップは、端末が、タッチディスプレイスクリーン上においてユーザによって実行されたタッチ操作を、タッチディスプレイスクリーン上においてタッチされた位置のパラメータ変化(たとえば、キャパシタンスまたは抵抗の変化)に従って検出し、その後、キャパシタンスまたは抵抗が変化するエリアが連続的であるか否かに従って、タッチ操作がスライド操作であるか否かを判定することを称する。タッチ操作がスライド操作であり、スライド長さが、特定の長さに達したと判定されると、再生回数の数を設定する機能が有効とされ得る。オプションとして、再生回数の数はさらに、スライド操作の軌跡の長さに従って、または、スライド操作の軌跡の長さおよび方向に従って、設定され得る。プリセットエリアは、たとえば、再生ボタンのエリア、または、再生ボタンの上方または下方のエリアのような、メディア再生アプリケーションのディスプレイインターフェース上の指定されたエリアであり得るか、または、端末のデスクトップまたはロックスクリーンインターフェース上の指定されたエリアであり得る。スライド方向は、任意の方角に延び得る。たとえば、再生回数の数を設定する機能は、再生ボタンの上方の、特定の距離に関する右方向へのスライドの後に有効とされ得るか、または、再生回数の数を設定する機能は、端末のデスクトップまたはロックスクリーンインターフェース上の任意のエリアにおける、特定の長さに関する左方向へのスライドの後に有効とされ得る。再生回数の数を設定する機能が有効とされた後、再生回数の数はさらに、スライドの方向および長さに従って決定され得る。たとえば、右方向へのスライドの場合、再生回数の数が増加し、再生回数の数は、右方向へのスライドの場合、1センチメートルについて1つ増加し、左方向へのスライドの場合、再生回数の数が減少し、再生回数の数は、左方向へのスライドの場合、1センチメートルについて1つ減少する。前述したスライドエリア、方向、および長さは、多数の方式において実現され得る。これは、本発明の実施形態では限定されない。
【００５０】
端末のタッチディスプレイスクリーンのプリセットエリア上において、ユーザによって実行される選択操作のための持続時間が、第1のプリセット持続時間に達したことを検出するステップは、端末が、タッチディスプレイスクリーン上において、選択された位置のパラメータ変化(たとえば、キャパシタンスまたは抵抗のための持続時間変化)に従って、タッチディスプレイスクリーン上においてユーザによって実行された選択操作の持続時間を検出し、その後、選択されたエリアのパラメータ変化(たとえば、キャパシタンスまたは抵抗のための持続時間変化)が、第1のプリセット持続時間に達したか否かを判定することを称する。達した場合、再生回数の数を設定する機能が有効とされ得る。タッチ操作は、(直接的なタッチによって実行される選択の操作と、間接的なタッチによって実行される選択の操作とを含む)タッチによって実行される選択であり得るか、または、タッチディスプレイスクリーンは、フローティングタッチディスプレイスクリーンであり、対応する選択操作は、フローティングタッチによって実行される選択操作であり得る。選択操作のために選択されたエリアおよび持続時間は、要求に従って組み合わされ得る。これは、本発明の実施形態では限定されない。
【００５１】
端末の指定されたキーにおいてユーザによって実行された押圧操作を検出するステップは、端末が、タッチキーまたは物理的なキーが押圧された場合に生成された電気信号変化を検出することによって、指定されたキーが押圧されたか否かを検出することを称する。指定されたキーが押圧されると、再生回数の数を設定する機能が有効とされ得る。オプションとして、押圧のための持続時間もまた、誤操作を阻止するために設定され得る。指定されたキーが、持続時間の間、押圧されると、再生回数の数を設定する機能が有効とされる。端末の指定されたキーが押圧されたことを検出するための前述した方法は、先行技術において多数の方式で実現され得る。これは、本発明の実施形態では限定されない。
【００５２】
端末のタッチディスプレイスクリーンのプリセットエリアに触れたユーザの指の数を検出するステップは、端末が、タッチディスプレイスクリーン上において、タッチされた位置のパラメータ変化(たとえば、キャパシタンスまたは抵抗の変化、および、キャパシタンスまたは抵抗の数および変化)に従って、タッチディスプレイスクリーンに触れたユーザの指の数を検出することを称する。このタッチのための指の数および長さが、指定された数に達したと判定されると、再生回数の数を設定する機能が有効とされ得る。たとえば、タッチのための指の数が2に達し、再生回数の数のユーザ定義が有効とされる。または、タッチのための指の数が3に達し、再生回数の数のユーザ定義が有効とされる。タッチは、直接的なタッチおよび間接的なタッチ、フローティングタッチ等であり得る。オプションとして、再生回数のユーザ定義はさらに、タッチ持続時間しきい値に関して有効とされ得る。たとえば、タッチのための指の数が2に達し、タッチのための持続時間が2秒に達し、再生回数の数のユーザ定義が有効とされる。前述したタッチのための指の数またはタッチ時間は、多数の方式で実現され得る。これは、本発明の実施形態では限定されない。オプションとして、メディアの再生回数の数はさらに、端末のタッチディスプレイスクリーンのプリセットエリアに触れた指の数に従って設定され得る。たとえば、3本の指が、タッチディスプレイスクリーンのプリセットエリアにタッチしたと検出されると、メディアの再生回数の数が3に設定される。
【００５３】
ユーザによって端末を振った回数の数を検出するステップは、端末が、加速度センサおよびジャイロセンサのような1つまたは複数のタイプのセンサを使用することによって、端末の振れおよび振った回数の数を検出し、その後、振った回数の数が、プリセット数に達したか否かを判定することを称する。振れの方向は、水平方向の振れ、垂直方向の振れ、または、別の2つの反対方向における前後の振れであり得る。端末の振れの回数の数が、プリセット数に達すると、再生回数の数を設定する機能が有効とされ得る。端末の振れ、および、振れの回数の数を検出するための前述した方法は、先行技術における多数の方式で実現され得る。これは、本発明の実施形態において限定されない。しかしながら、再生回数の数を設定する機能がトリガされた後、再生回数の数はまた、端末の振れの回数の数に関する統計を収集することによって決定され得る。たとえば、再生回数の数は、左から右へ1回振れた場合、1つ増加し、再生回数の数は、1回の垂直方向の振れの場合、1つ減少する。もちろん、あるいは、再生回数の数は、1回の左方向への振れの場合、1つ増加し得る。再生回数の数は、1回の右方向への振れの場合、1つ減少するという具合である。特定のマッピング関係が、多数の方式で実現され得る。これは、本発明の実施形態において限定されない。
【００５４】
端末のタッチディスプレイスクリーンのプリセットエリア上において、ユーザによって実行されたスライド演算の軌跡を検出し、スライド操作の軌跡の長さに従ってメディアの再生回数の数を決定するステップは、端末が、タッチディスプレイスクリーン上のタッチされた位置の連続的なパラメータ変化(たとえば、連続的なキャパシタンスまたは抵抗の変化)に従って、タッチディスプレイスクリーン上においてユーザによって実行されたスライド操作の軌跡の長さを検出することを称する。スライド操作の軌跡の長さと、再生回数の数との間に、マッピング関係が存在し、メディアの再生回数の数は、スライド操作の軌跡の長さに従って決定され得る。オプションとして、スライド操作の軌跡の方向および長さはさらに、包括的に考慮され得る。スライド操作の方向は、任意の方向において延長または短縮され得る。たとえば、指は、メディア再生アプリケーションの再生ボタンの上方で、右方向へ連続的にスライドし、再生回数の数は、スライド操作の軌跡の長さが増加すると、増加する。指が、左方向にスライドすると、再生回数の数は、左方向へのスライド操作の軌跡の長さに従って減少する。たとえば、右方向への1センチメートルのスライドの場合、再生回数の数が1つ増加し、左方向への1センチメートルのスライドの場合、再生回数の数は1つ減少する。端末のスライド操作の軌跡の長さおよび方向を検出するための前述した方法は、先行技術における多数の方式で実現され得る。これは、本発明の実施形態において限定されない。
【００５５】
端末のタッチディスプレイスクリーンのプリセットエリアにおいてユーザによって実行された選択のための持続時間を検出し、選択のための持続時間に従って、メディアの再生回数の数を決定するステップは、端末が、タッチディスプレイスクリーン上における、選択された位置のパラメータ変化(たとえば、キャパシタンスまたは抵抗の持続時間の変化)に従って、タッチディスプレイスクリーン上において、ユーザによって実行された選択のための持続時間を検出し、選択のための持続時間と、再生回数の数との間のプリセットマッピング関係に従って、再生時間の回数を決定することを称する。たとえば、設定は、以下の通りであり得る。再生回数の数は、選択のための持続時間が増加すると、増加する。たとえば、選択のための持続時間が3秒である場合、再生回数の数は3であり、選択のための持続時間が4秒である場合、再生回数の数は4である。タッチ操作は、(直接的なタッチによって実行される選択の操作と、間接的なタッチによって実行される選択の操作とを含む)タッチすることによって実行される選択であり得るか、または、タッチディスプレイスクリーンが、フローティングタッチディスプレイスクリーンであり、対応する選択はまた、フローティングタッチによって実行される選択であり得る。選択されたエリアまたは選択のための持続時間は、要求に従って組み合わされ得る。これは、本発明の実施形態において限定されない。
【００５６】
端末のタッチディスプレイスクリーンのプリセットエリア上において、ユーザによって選択された2つのポイント間の距離を検出し、この距離に従って、メディアの再生回数の数を決定するステップは、端末が、タッチディスプレイスクリーン上における、タッチされた位置の選択された2つのポイントのパラメータ変化(たとえば、キャパシタンスまたは抵抗の変化)に従って、選択されたポイントの位置、および、選択された2つのポイント間の距離を決定し、選択された2つのポイント間の距離と、再生回数の数との間のプリセット関係に従って、再生回数の数を決定することを称する。たとえば、選択された2つのポイント間の距離が2センチメートルに達し、3センチメートルよりも短ければ、再生回数の数は2であり、選択された2つのポイント間の距離が2センチメートルよりも短ければ、再生回数の数は1である。ユーザが操作を終了する前に、選択された2つのポイント間の距離が、ユーザ操作に従ってリアルタイムで変化し得る。端末のタッチディスプレイスクリーン上における、選択された2つのポイント間の距離を検出するための前述した方法は、先行技術において多数の方式で実現され得る。これは、本発明の実施形態では限定されない。
【００５７】
再生回数の数を設定するための機能を有効にするためのトリガ条件は、以下のうちの少なくとも1つであり得る。
音声を使用することによってユーザによってプリセットコマンドが入力されたことが検出される。
端末の移動軌跡がプリセット軌跡と合致していることが検出される。
端末のタッチディスプレイスクリーンのプリセットエリア上において、ユーザによってタップ操作が実行されたことが検出される。
端末上において、ユーザによってノック操作が実行されたことが検出される。
端末のタッチディスプレイスクリーンのプリセットエリア上において、ユーザによってスライド操作が実行されたことが検出される。
端末のタッチディスプレイスクリーンのプリセットエリア上において、ユーザによって実行された選択操作のための持続時間が、第1のプリセット持続時間に達したことが検出される。
端末の指定されたキー上において、ユーザによって押圧操作が実行されたことが検出される。
端末のタッチディスプレイスクリーンのプリセットエリアに触れたユーザの指の数が、プリセット数に達したことが検出される。
【００５８】
前述した検出操作の各々は、再生回数の数を設定する機能を有効にするための条件として個別に使用され得るか、または、2つまたはそれ以上の検出操作が組み合わされ、再生回数の数を設定する機能を有効にするための条件として使用され得る。
【００５９】
たとえば、再生回数の数を設定する機能をトリガする操作は、端末のタッチディスプレイスクリーンのプリセットエリアを、プリセット持続時間の間、タッチし、その後、端末のタッチディスプレイスクリーンのプリセットエリアを、プリセット長さへスライドさせ得るか、または、端末のタッチディスプレイスクリーンのプリセットエリアを、プリセット長さへスライドさせ、その後、端末のタッチディスプレイスクリーンを、プリセット持続時間の間、タッチし得るか、または、再生回数の数を設定する機能が、端末をノックした後に端末を振ることによって、または、端末を振った後に端末をノックすること等によってトリガされ得る。より多くの組み合わせ操作を得るために、多数の単一の操作が組み合わされ得る。これは、本明細書では、再度列挙されることはない。一般に、単一の操作を検出する効率は、比較的高い。これは、端末の検出処理時間を低減する。組み合わされた操作を識別するために、より長い時間が必要とされるが、ユーザの誤操作の場合、端末は、正しくない応答をすることが阻止され得る。したがって、再生回数の数を設定する機能をトリガするための操作が、端末が位置している環境とユーザの習慣に従って、具体的に選択され設定され得る。
【００６０】
確かに、トリガ条件はさらに、メディア再生機能が有効とされた場合、再生回数の数を設定する機能を自動的に有効にし得るか、または、各曲またはビデオが再生された場合、再生回数の数を設定する機能を自動的に有効にし得る。
【００６１】
本発明の実施形態では、ユーザの入力コマンドを検出し、入力コマンドに従って、メディアの再生回数の数を決定するステップは、以下のステップ、すなわち、
音声を使用することによってユーザによって入力された再生回数の数を検出し、メディアの再生回数の数が、音声を使用することによって入力された再生回数の数であると判定するステップと、
端末のタッチディスプレイスクリーンのプリセットエリアに触れたユーザの指の数を検出し、メディアの再生回数の数が、指の数であると判定するステップと、
ユーザによって端末を振った回数の数を検出し、メディアの再生回数の数が、ユーザによって端末を振った回数の数であると判定するステップと、
ユーザによって端末のタッチディスプレイスクリーンのプリセットエリアをタップした回数の数を検出し、メディアの再生回数の数が、タップ回数の数であると判定するステップと、
端末のタッチディスプレイスクリーンのプリセットエリア上において、ユーザによって実行されたスライド操作の軌跡を検出し、スライド操作の軌跡の長さに従って、または、軌跡の長さおよび方向に従って、メディアの再生回数の数を決定するステップと、
端末のタッチディスプレイスクリーンのプリセットエリア上において、ユーザによって実行された選択のための持続時間を検出し、選択のための持続時間に従って、メディアの再生回数の数を決定するステップと、
端末のタッチディスプレイスクリーンのプリセットエリア上において、ユーザによって選択された2つのポイント間の距離を検出し、この距離に従って、メディアの再生回数の数を決定するステップと、のうちのいずれか1つであり得る。
【００６２】
メディアが再生されている場合、端末は、タイマを設定することによって、再生が終了したか否かを判定し得る。あるいは、メディアが再生される毎に、端末は、回数の数が0であるか否かを判定し、再生回数の数が0ではないのであれば、メディアは再生され続ける。再生が終了したか否かを判定するための方法は、先行技術において多数の方式で実現され得る。これは、本発明の実施形態において限定されない。
【００６３】
オプションとして、再生回数の数が判定された後、判定された再生回数の数は、音声再生またはディスプレイスクリーン上における表示からなる方式でユーザへ指示され得る。あるいは、パラメータ設定プロセスにおいて、このプロセスにおいて決定された再生回数の数は、再生回数の数をユーザがより正確に設定することをガイドできるように、リアルタイムで表示される。
【００６４】
再生回数の数を設定する機能をトリガするための操作が、第1の操作と称され、再生回数の数を設定する操作が、第2の操作と称されるのであれば、2つの操作は、同じタイプまたは異なるタイプであり得る(操作タイプは、音声操作、タッチ操作、振り操作、タップ操作、ノック操作、選択操作、スライド操作、キー押圧操作、およびマルチフィンガ操作を含み得るが、限定されない)。2つの操作が、連続的にまたは不連続的に実行され得る。たとえば、第1の操作および第2の操作のタイプは、両方ともタッチ操作である。端末のタッチディスプレイスクリーンのプリセットエリアにタッチするための持続時間が、たとえば2秒のような第1のプリセット持続時間に達し、再生回数の数を設定する機能が有効とされる。その後、このエリアにタッチする状態が維持され、すなわち、端末のタッチディスプレイスクリーンの同じエリアにタッチするための持続時間が、たとえば5秒のような第2のプリセット持続時間に達し、端末は、マッピング関係に従って再生回数の数を取得できるように、タッチのための持続時間を識別し得る。別の例については、端末のタッチディスプレイスクリーンのプリセットエリア上におけるスライドが、たとえば1センチメートルである第1のプリセット長さに達し、再生回数の数を設定する機能がトリガされる。その後、端末のタッチディスプレイスクリーンのプリセットエリアにおいて同じ方向に続くスライドが、たとえば3センチメートルのような第2のプリセット長さに達し、端末は、マッピング関係に従って、再生回数の数を取得できるように、連続的なタッチ距離を識別し得る。確かに、ユーザによる第1の操作を実行するための時間と、ユーザによる第2の操作を実行するための時間とは、0よりも大きいがプリセットしきい値よりも小さくなり得る。すなわち、再生時間の数を設定する機能が、未だに端末上において有効とされているという条件では、2つの操作間に時間インタバルが存在する。たとえば、プリセットしきい値が3秒であり、第1の操作を識別し、再生回数の数を設定する機能を有効にした後、端末は、3秒以内に第2の操作を検出し、端末は、再生時間の数を取得し、端末が、3秒以内に第2の操作を検出しないのであれば、端末は、再生回数の数の機能を無効にし得る。ユーザが3秒後に第2の操作を実行することは、無効な操作として考慮される。プリセットしきい値が3秒であることは、本明細書における記述のための例としてのみ使用される。特定のしきい値が、製造者またはユーザによって設定され得る。これは、本発明の実施形態において限定されない。
【００６５】
図1乃至図4を参照して、以下は、本発明の実施形態に従ってメディアを再生するための方法を詳細に記述する。
【００６６】
図1を参照すると、図1は、本発明に従ってメディアを再生するための方法の第1の実施形態の概要フローチャートである。この実施形態において、この方法は以下のステップを含む。
【００６７】
S101。再生回数の数を設定する機能を有効にする。
【００６８】
オプションとして、S101の前に、たとえば、ユーザによって実行される前述した様々なトリガ操作、または、有効とされたプリセット機能(たとえば、メディア再生)のような、いくつかのトリガ条件が存在し得る。再生回数の数の機能が設定された後、再生回数の初期数は存在せず、再生回数の数は完全に、ユーザの入力コマンドによって決定され得る。または、たとえば0または1または比較的大きな数(たとえば、5)である再生回数の初期数が存在し、その後、再生回数の初期数は、ユーザが、所望される再生回数の数を取得するまで、ユーザの入力コマンドに従って調節される。
【００６９】
S102。ユーザの入力コマンドを検出し、入力コマンドに従って、メディアの再生回数の数を決定する。
【００７０】
入力コマンドを検出し、入力コマンドに従って、メディアの再生回数の数を決定する方式のために、前述した記述に対する参照がなされ、本明細書では詳細は再度記述されない。
【００７１】
S103。再生回数の数に従ってメディアを再生する。
【００７２】
前述した方法は、端末、または端末における特定のモジュールによって実行され得る。詳細には、関連する装置実施形態に対する参照がなされ得る。
【００７３】
再生回数の数を設定する機能が端末上に構成され、検出されたユーザの入力コマンドに従って、メディアの再生回数の数が決定され、最後に、決定された再生回数の数に従ってメディアが再生される。これは、端末においてメディアを再生するための既存の方法を改善し、同じメディアが繰り返し再生される必要のある場合、端末の操作が比較的複雑であるという問題を解決し、メディアの再生回数の数が、直接的かつ便利に設定されることを可能にし、端末の利便性および有用性を高める。
【００７４】
図2を参照すると、図2は、本発明に従ってメディアを再生するための方法の第2の実施形態の概要フローチャートである。この実施形態において、この方法は以下を含む。
【００７５】
S201。端末のタッチディスプレイスクリーンのプリセットエリアにおいてユーザによって実行される選択操作のための持続時間が、第1のプリセット持続時間に達したことを検出する。
【００７６】
S202。再生回数の数を設定する機能を有効にする。
【００７７】
S201およびS202のために、前述した対応する記述に対する参照がなされ、本明細書では詳細は再度記述されない。
【００７８】
S203。端末のタッチディスプレイスクリーンの第1のプリセットエリア上において、ユーザによって実行された選択のための第1の持続時間を検出し、選択のための第1の持続時間に従って、メディアの再生回数の数を増加させる。
【００７９】
ここでは、ユーザが、第1のプリセットエリアを選択したことが検出された場合、メディアの再生回数の数が増加することが判定される。特定の実施では、第1のプリセットエリアは、たとえば、プラスボタンのように、回数の数の増加を表すボタンであり得る。
【００８０】
S203の後、ユーザが入力を停止すると、端末は、S205へ直接ジャンプし得る。オプションとして、設定された再生回数の数が大きすぎ、再生回数の数が減少される必要があることにユーザが気付くと、端末は、S204を実行し得る。
【００８１】
S204。端末のタッチディスプレイスクリーンの第2のプリセットエリア上において、ユーザによって実行された選択のための第2の持続時間を検出し、選択のための第2の持続時間に従って、メディアの再生回数の数を減少させる。
【００８２】
ここでは、第2のプリセットエリアをユーザが選択したことが検出された場合、メディアの再生回数の数が減少すると判定される。第1のプリセットエリアは、たとえば、マイナスボタンのように、回数の数の減少を表すボタンであり得る。満足できる再生回数の数を取得した場合、ユーザは、第2のプリセットエリア上における入力を停止する。端末が、ユーザからの後続する入力を検出しない場合、S205が実行される。
【００８３】
S205。再生回数の数に従ってメディアを再生する。
【００８４】
S205を実行するプロセスのために、前述した記述に対する参照がなされ、本明細書では詳細は再度記述されない。
【００８５】
再生回数の数を設定する機能が有効とされた後、再生回数の初期数は0または1であり得ることが注目されるべきである。この場合、ユーザは、第1のプリセットエリア上に数値を入力することができ、端末はS203を実行する。あるいは、再生回数の初期数は、たとえば5のように、比較的大きな数であり得る。この場合、ユーザは、第2のプリセットエリア上に、数値を直接的に入力し得る。すなわち、S202の後、S204は、S203を実行せずに、直接的に実行される。S204が最初に実行され、その後S203が実行されることも理解され得る。
【００８６】
前述した方法は、端末、または端末における特定のモジュールによって実行され得る。詳細には、関連する装置実施形態に対する参照がなされ得る。
【００８７】
図3を参照すると、図3は、本発明に従ってメディアを再生するための方法の第3の実施形態の概要フローチャートである。この実施形態において、この方法は、以下を含む。
【００８８】
S301。端末のタッチディスプレイスクリーンのプリセットエリア上において、ユーザによって実行されたスライド操作を検出する。
【００８９】
S302。再生回数の数を設定する機能を有効にする。
【００９０】
S301およびS302のために、前述した対応する記述に対する参照がなされ、本明細書では詳細は再度記述されない。
【００９１】
S303。端末のタッチディスプレイスクリーンのプリセットエリア上における第1の方向に、ユーザによって実行された第1のスライド操作の軌跡を検出し、第1のスライド操作の軌跡の長さに従って、メディアの生成回数の数を増加させる。
【００９２】
S203と同様に、ユーザの第1のスライド操作が検出された場合、第1のスライド操作の軌跡に従って、メディアの再生回数の数が増加すると判定される。特定の実施では、プリセットエリアは、バーエリアであり得る。バーエリアが、タッチディスプレイスクリーンの横軸と平行な方向にあるのであれば、第1の方向は、バーエリアに沿って右側方向であり得る。バーエリアが、タッチディスプレイスクリーンの縦軸と平行な方向にあるのであれば、第1の方向は、バーエリアに沿って上側方向であり得る。第1の方向に沿ってユーザによってスライドされたより長い軌跡が検出されると、大きな数のメディアの再生回数が決定される。満足できる再生回数の数が取得された場合、ユーザは、第1のスライド操作を停止する。端末が、ユーザからの後続する入力を検出しない場合、S305は、直接的にジャンプされ得る。オプションとして、設定された再生回数の数が大きすぎ、再生回数の数が減少される必要があることにユーザが気付くと、端末は、S304を実行し得る。
【００９３】
S304。端末のタッチディスプレイスクリーンのプリセットエリア上における第2の方向に、ユーザによって実行された第2のスライド操作の軌跡を検出し、第2のスライド操作の軌跡の長さに従って、メディアの再生回数の数を減少させる。
【００９４】
S204と同様に、ユーザの第2のスライド操作が検出された場合、第2のスライド操作の軌跡に従って、メディアの再生回数の数が減少すると判定される。特定の実施では、プリセットエリアは、バーエリアであり得る。バーエリアが、タッチディスプレイスクリーンの横軸と平行な方向にあるのであれば、第2の方向は、バーエリアに沿って左側方向であり得る。バーエリアが、タッチディスプレイスクリーンの縦軸と平行な方向にあるのであれば、第2の方向は、バーエリアに沿って下側方向であり得る。第2の方向に沿ってユーザによってより長い軌跡がスライドされたのであれば、より小さな数のメディアの再生回数が決定される。満足できる再生回数の数を取得すると、ユーザは、第2のスライド操作を停止する。端末が、ユーザから、後続する入力を検出しない場合、S305が実行され得る。
【００９５】
S305。再生回数の数に従ってメディアを再生する。
【００９６】
S305を実行するプロセスのために、前述した記述に対する参照がなされ、本明細書では詳細は再度記述されない。
【００９７】
再生回数の数を設定する機能が有効とされた後、再生回数の初期数は0または1であり得ることが注目され得る。この場合、ユーザは、第1のスライド操作を入力し、端末は、S303を実行する。あるいは、再生回数の初期数は、たとえば5のように、比較的大きな数であり得る。この場合、ユーザは、第2のスライド操作を入力し得る。すなわち、S302の後、S303を実行することなく、S304が直接的に実行される。S304が最初に実行され得、その後S303が実行されることも理解され得る。
【００９８】
前述した方法は、端末、または端末における特定のモジュールによって実行され得る。詳細には、関連する装置実施形態に対する参照がなされ得る。
【００９９】
図4を参照すると、図4は、本発明に従ってメディアを再生するための方法の第4の実施形態の概要フローチャートである。この実施形態において、この方法は、以下のステップを含む。
【０１００】
S401。再生回数の数を設定する機能を有効にする。
【０１０１】
S402。ユーザの入力コマンドを検出し、入力コマンドに従って、メディアの再生回数の数を決定する。
【０１０２】
S401およびS402のために、前述した関連する記述に対する参照がなされ得る。
【０１０３】
S403。メディアの再生回数の数を表示する。
【０１０４】
オプションとして、メディアの再生回数の数は、端末のタッチディスプレイスクリーン上に表示され得るか、または、たとえば、時間および日付を表示するために使用されるディスプレイスクリーンのような、端末の別のディスプレイスクリーン上に表示され得るか、または、端末に接続された別のディスプレイデバイス上に表示され得る。そして、決定された再生回数の数が、端末のタッチディスプレイスクリーン上にリアルタイムで表示される。これは、現在設定されている再生回数の数を端末がユーザへ提示することを支援し、ユーザが対応する制御を実施することを容易にし、これによって、端末は、最適な再生回数の数を取得できるようになる。
【０１０５】
確かに、現在決定された再生回数の数をリアルタイムで表示することに加えて、操作中にリアルタイムで決定された再生回数の数は、単に保存されるだけで表示されず、操作後に、再生回数の数が最終的に決定された後、再生回数の最終的な数が、タッチディスプレイスクリーン上に表示される。
【０１０６】
S404。再生回数の数に従ってメディアを連続的に再生する。
【０１０７】
S405。ユーザによって入力されたキャンセル命令を受信し、メディアを連続的に再生することを停止する。
【０１０８】
たとえば、現在設定されている再生回数の数は5であり、メディアは2回再生される。すなわち、メディアは、2回目のための再生がなされている。ユーザによって入力されたキャンセル命令がこの時受信されると、メディアは、2回目のために再生された後、残りの3回のために、メディアは再生されない。
【０１０９】
オプションとして、キャンセル命令は、端末上においてユーザによって実行された操作を検出することによって端末によって取得され得る。この操作は、端末のタッチディスプレイスクリーン上で実行される任意の操作、または、たとえば、タッチディスプレイスクリーンのエリアをダブルタップすることのように、端末によって感知され得る操作であり得る。確かに、ユーザは、設定された再生回数の数を直接的にキャンセルし、別のメディアを直接的に再生するために、音楽再生アプリケーションにおいて前の曲または次の曲を直接的にタップし得る。前述した方式はまた、設定された再生回数の数を端末がキャンセルするという目的を達成するために、タップ操作を使用することによって、端末のタッチディスプレイスクリーンのプリセットエリアをタップすることとしても考慮され得る。
【０１１０】
S406。メディアリストおよびプリセット再生ルールに従って、メディアリストにおけるメディアを再生する。
【０１１１】
S405の後、前述した連続的に再生されるメディアの連続再生が停止され、その後、メディアリスト内のメディアが、メディアリストおよびプリセット再生ルールに従って連続的に再生され得る。たとえば、メディア再生リストにおいて、以下が既に設定されている。メディア1、2、3および4が順に再生され、メディア2は、5回再生される必要があることが以前に設定されている。メディア2が2回目の再生をなされており、ユーザによって入力されたキャンセル命令が受信されると、メディア2が2回目の再生がなされた後、以下のメディア3およびメディア4が、順に直接的に再生される。あるいは、キャンセル命令が受信された後、メディアの再生が休止または停止され得る。詳細には、先行技術における関連する解決策に対する参照がなされ得る。これは、本発明では限定されない。
【０１１２】
前述したステップにおける連続的な再生は、不連続的な再生と置き換えられ得、その実施解決策は類似していることが理解され得る。
【０１１３】
この実施形態では、再生方法の全体が十分に記述されている。決定された再生回数の数は、端末のタッチディスプレイスクリーン上に表示される。これは、
【０１１４】
現在設定されている再生回数の数を端末がユーザへ提示することを支援し、ユーザが対応する制御を実施することを容易にし、これによって、端末は、所望された再生回数の数を取得できるようになる。設定された再生回数の数に従って再生が完了した場合、端末は、メディアリストおよびプリセットルールに従って、メディアリストにおけるメディアを再生する。たとえば、プリセットルールがランダム再生であり、再生後、曲リストにおける曲が、ランダムに再生されるべきである。プリセットルールが、順に再生することであれば、再生後、曲リストにおける次の曲が再生されるべきである。もちろん、あるいは、プリセットルールは、反復再生であり得る。この場合、ユーザはまた、再生回数の数を設定する機能をも有効にし得る。これによって、メディアが、設定された再生回数の数、再生された後、メディアは、反復再生のルールに従って再生され続ける。
【０１１５】
ステップS404およびS405の後、端末は、ステップS406を直接的に実行し、したがって、通常の再生ステータスと、設定されたメディアの再生回数の数との完全な組み合わせおよび互換性を実現する。
【０１１６】
前述した方法は、端末、または端末における特定のモジュールによって実行され得る。詳細には、関連する装置実施形態に対する参照がなされ得る。
【０１１７】
音楽再生アプリケーションのディスプレイインターフェースを参照して、以下は、本発明における再生方法を記述するための例を使用する。
【０１１８】
図5を参照すると、図5は、図2における再生方法が操作を実行するために使用される場合の、ディスプレイインターフェースの概要図である。図5に図示されるように、ユーザのすべての操作は、音楽再生アプリケーションのディスプレイインターフェース上で完結される。たとえば、曲名、曲の持続時間、および歌詞のような情報である曲情報が、ディスプレイインターフェースの上半分における表示のために呼び出され得る。たとえば「前に戻る」、「休止/再生」、および「次に進む」のような各操作ボタンは、ディスプレイインターフェースの下半分に表示され得、ユーザによってタッチまたは選択されたエリアが、黒丸によって表される。この実施形態では、ユーザは、再生回数の数を設定する機能をトリガするように、第1のプリセット持続時間のために「休止/再生」ボタンをタッチし、選択し得る。第1のプリセット持続時間に基づいてユーザがタッチまたは選択を続けるのであれば、端末は、「休止/再生」ボタンをタッチまたは選択するための持続時間に従って、再生回数の数を決定し、数字の形態で、再生回数の数を表示する。この数字は、四角形のバブルまたは円形のバブルに含まれ得る。そして、表示位置は、タッチまたは選択されたエリアの上方であり得るか、または、タッチディスプレイスクリーンのサイズ、または、現在のインターフェースの機能ボタンの位置に従って、適応的に調節され得るか、または、たとえば、本明細書では限定されない音またはフラッシュ形態を構成することによって、別の特定の提示方式を使用し得る。第1行における3番目のディスプレイインターフェースに図示されるように、決定された再生回数の数は「2」であり、「休止/再生」ボタンの近くのエリアの上方に表示されていることが検出される。ユーザが、「休止/再生」ボタンの選択およびタッチを続けるのであれば、再生回数の数が連続的に増加し、第1行における4番目のディスプレイインターフェース図に図示されるように、再生回数の数は「5」へ増加する。この場合、この再生回数の数が満足できるとユーザが考えるのであれば、ユーザは、もはや端末のタッチディスプレイスクリーンのプリセットエリアをタッチまたは選択をしないことがあり得る。端末によって決定された再生回数の数は5であり、端末は、現在の曲を、5回、連続再生する。再生回数の数が5に増加し、この回数の数が比較的大きいとユーザが考えるのであれば、ユーザは、プリセット長さ、下方向にスライドさせ得る。そして、この場合、(第2行における最初のディスプレイインターフェース図に図示されるように)再生回数の数は未だに5である。この場合、再生回数の数を表示するためのバブルが、タッチまたは選択されたエリアから遠く離れた「休止/再生」ボタンの上方に表示され得る。これは、「休止/再生」ボタンをカバーすることを避ける。ユーザが、下方向へのスライドの後、タッチおよび選択を続けると、ユーザが定義した再生回数の数は、タッチまたは選択のための持続時間が増加すると減少する。3回の繰り返し再生の方が良いとユーザが考えるのであれば、ユーザは、(第2行における2番目のディスプレイインターフェース図に図示されるように)端末によって表示されている再生回数の現在の数が3である場合、現在の操作を停止し���る。そして、この場合、端末が、再生回数の数を設定することに関連する、ユーザのあらゆる入力操作をももはや検出しないのであれば、端末によって決定された再生回数の数は3であり、端末は、(第2行における3番目のディスプレイインターフェース図に図示されるように)現在の曲を3回連続的に再生することを開始する。前述した連続的な再生は、不連続的な再生と置き換えられ、その実施解決策は類似している。
【０１１９】
図6を参照すると、図6は、図3における再生方法が操作を実行するために使用される場合における別のディスプレイインターフェースの概要図である。図6に図示されるように、すべての操作は、音楽再生アプリケーションのディスプレイインターフェース上で完結される。たとえば、曲名、曲の持続時間、および歌詞のような情報である曲情報が、ディスプレイインターフェースの上半分における表示のために呼び出され得る。たとえば「前に戻る」、「休止/再生」、および「次に進む」のような各操作ボタンは、ディスプレイインターフェースの下半分に表示され得、ユーザによってタッチまたは選択されたエリアが、黒丸によって表される。終点としてタッチまたは選択されたエリアを使用する黒の直線によってスライド軌跡が提示され、スライド軌跡の長さは、黒い直線の長さである。この実施形態では、ユーザは、再生回数の数を設定する機能をトリガするように、各操作ボタンの上方をプリセット長さ右方向にスライドさせ得る。ユーザが、このプリセット長さに基づいて、右方向へのスライドを続けると、端末は、検出に従って、再生回数の数の決定を開始し、数字の形態で再生回数の数を表示する。そして、本明細書において限定されない音またはフラッシュ形態となるように特定の提示方式がさらに設定され得る。第1行における3番目のディスプレイインターフェース図に図示されるように、決定された再生回数の数は「2」であることが検出される。ユーザが右方向へのスライドを続けるのであれば、再生回数の数が連続的に増加し得る。そして、第1行における4番目のディスプレイインターフェース図に図示されるように、再生回数の数は「5」に増加する。この場合、ユーザが、この再生回数の数が満足できると考えるのであれば、ユーザは、もはや端末のタッチディスプレイスクリーンのプリセットエリアをタッチまたは選択をしないことがあり得る。端末によって決定された再生回数の数は5であり、端末は、現在の曲を、5回、連続再生する。再生回数の数が5に増加し、この回数の数が比較的大きいとユーザが考えるのであれば、ユーザは、特定の長さ、左方向へスライドさせ得る。そして、この場合、(第2行における最初のディスプレイインターフェース図に図示されるように)再生回数の数は3へ減少し、ユーザが右方向へスライドさせると、(第2行における2番目のディスプレイインターフェース図に図示されるように)再生回数の数は再び5へ増加する。5回の再生の方が良いとユーザが考えるのであれば、端末が、現在の再生回数の数が5であることを表示する場合、ユーザは現在の操作を停止させ得る。そして、この場合、端末が、再生回数の数を設定することに関連する、ユーザのあらゆる入力操作をももはや検出しないのであれば、端末によって決定された再生回数の数は5であり、端末は、(第2行における3番目のディスプレイインターフェース図に図示されたように)現在の曲を5回連続的に再生することを開始する。前述した連続的な再生は、不連続的な再生と置き換えられ、その実施解決策は類似している。
【０１２０】
図5および図6では、タッチおよびホールド、スライドおよびこれらの組み合わせからなる操作は、再生回数の数のユーザ定義の効果を達成するために特に使用されることが注目されるべきである。再生回数の数はまた、別の操作を実行することによっても設定され得る。たとえば、タッチディスプレイスクリーン上におけるダブルタップは、再生回数の数を設定する機能を有効にし、その後、タッチディスプレイスクリーンをタップした回数の数に従って、再生回数の数が決定される。確かに、回数の数を減少させる調節機能が設定される必要があるのであれば、タッチディスプレイスクリーンの2つのディスプレイエリアは、それに相応して、増加機能および減少機能それぞれに対応するように構成され得る。そして、再生回数の数は、対応するエリアをタップすることによって増加または減少され得る。あるいは、再生回数の数のユーザ定義が、端末を振ることによって、重力感知方式でトリガされ、再生回数の数を設定する機能が、本発明では限定されないが、水平方向の振動が再生回数の数を増加させ、垂直方向の振動が再生回数の数を減少させることを設定するような方式で実現され得る。
【０１２１】
図7を参照すると、図7は、本発明に従って、メディアを再生するための端末の第1の実施形態の構成の概要図である。この実施形態において、端末は、
再生回数の数を設定する機能を有効にするように構成された有効化ユニット100と、
ユーザの入力コマンドを検出し、入力コマンドに従って、メディアの再生回数の数を決定するように構成された第1の検出ユニット200と、
再生回数の数に従ってメディアを再生するように構成された再生ユニット300とを含む。オプションで、メディアは、
端末によって現在再生されているオーディオファイルまたはビデオファイルを含み、
再生ユニット300は特に、
端末によって現在再生されているオーディオファイルまたはビデオファイルを、再生回数の数に達するまで再生するように構成される。
【０１２２】
あるいは、メディアは、
再生されるべきであると選択されたオーディオファイル、または、再生されるべきであると選択されたビデオファイルを含み、
再生ユニット300は特に、
再生されるべきであると選択されたオーディオファイル、または、再生されるべきであると選択されたビデオファイルを、再生回数の数に達するまで再生するように構成される。
【０１２３】
第1の検出ユニット200は特に、以下のステップ、すなわち、
音声を使用することによってユーザによって入力された再生回数の数を検出し、メディアの再生回数の数が、音声を使用することによって入力された再生回数の数であると判定するステップと、
端末のタッチディスプレイスクリーンのプリセットエリアに触れたユーザの指の数を検出し、メディアの再生回数の数が、指の数であると判定するステップと、
ユーザによって端末を振った回数の数を検出し、メディアの再生回数の数が、ユーザによって端末を振った回数の数であると判定するステップと、
ユーザによって端末のタッチディスプレイスクリーンのプリセットエリアをタップした回数の数を検出し、メディアの再生回数の数が、タップ回数の数であると判定するステップと、
端末のタッチディスプレイスクリーンのプリセットエリア上においてユーザによって実行されたスライド操作の軌跡を検出し、スライド操作の軌跡の長さに従って、または、軌跡の長さおよび方向に従って、メディアの再生回数の数を決定するステップと、
端末のタッチディスプレイスクリーンのプリセットエリア上においてユーザによって実行された選択のための持続時間を検出し、選択のための持続時間に従って、メディアの再生回数の数を決定するステップと、
端末のタッチディスプレイスクリーンのプリセットエリア上においてユーザによって選択された2つのポイント間の距離を検出し、この距離に従って、メディアの再生回数の数を決定するステップと、のうちのいずれか1つを実行するように構成される。
【０１２４】
図8を参照すると、図8は、本発明に従ってメディアを再生するための端末の第2の実施形態の構成の概要図である。この実施形態では、端末は、
再生回数の数を設定する機能を有効にするように構成された第1の有効化ユニット100と、
ユーザの入力コマンドを検出し、入力コマンドに従って、メディアの再生回数の数を決定するように構成された第1の検出ユニット200と、
再生回数の数に従ってメディアを再生するように構成された再生ユニット300と、を含む。
【０１２５】
オプションとして、端末はさらに、
有効化ユニット100が、再生回数の数を設定する機能を有効にする前に、以下のステップ、すなわち、
音声を使用することによってユーザによって入力されたプリセットコマンドを検出するステップと、
端末の移動軌跡が、プリセット軌跡と合致していることを検出するステップと、
端末のタッチディスプレイスクリーンのプリセットエリア上において、ユーザによって実行されたタップ操作を検出するステップと、
端末上においてユーザによって実行されたノック操作を検出するステップと、
端末のタッチディスプレイスクリーンのプリセットエリア上において、ユーザによって実行されたスライド操作を検出するステップと、
端末のタッチディスプレイスクリーンのプリセットエリア上において、ユーザによって実行された選択操作のための持続時間が、第1のプリセット持続時間に達したことを検出するステップと、
端末の指定されたキー上において、ユーザによって実行された押圧操作を検出するステップと、
端末のタッチディスプレイスクリーンのプリセットエリアに触れたユーザの指の数が、プリセット数に達したことを検出するステップと、のうちの少なくとも1つを実行するように構成された第2の検出ユニット400を含む。
【０１２６】
第1の検出ユニット200は特に、以下のステップ、すなわち、
音声を使用することによってユーザによって入力された再生回数の数を検出し、メディアの再生回数の数が、音声を使用することによって入力された再生回数の数であると判定するステップと、
端末のタッチディスプレイスクリーンのプリセットエリアに触れたユーザの指の数を検出し、メディアの再生回数の数が、指の数であると判定するステップと、
ユーザによって端末を振った回数の数を検出し、メディアの再生回数の数が、ユーザによって端末を振った回数の数であると判定するステップと、
ユーザによって端末のタッチディスプレイスクリーンのプリセットエリアをタップした回数の数を検出し、メディアの再生回数の数が、タップ回数の数であると判定するステップと、
端末のタッチディスプレイスクリーンのプリセットエリア上においてユーザによって実行されたスライド操作の軌跡を検出し、スライド操作の軌跡の長さに従って、または、軌跡の長さおよび方向に従って、メディアの再生回数の数を決定するステップと、
端末のタッチディスプレイスクリーンのプリセットエリア上において、ユーザによって実行された選択のための持続時間を検出し、選択のための持続時間に従って、メディアの再生回数の数を決定するステップと、
端末のタッチディスプレイスクリーンのプリセットエリア上において、ユーザによって選択された2つのポイント間の距離を検出し、この距離に従って、メディアの再生回数の数を決定するステップと、のうちのいずれか1つを実行するように構成される。
【０１２７】
オプションとして、有効化ユニット100が、再生回数の数を設定する機能を有効にする前に、第2の検出ユニット400は特に、
端末のタッチディスプレイスクリーンのプリセットエリア上において、ユーザによって実行された選択操作のための持続時間が、第1のプリセット持続時間に達したことを検出するように構成され、
第1の検出ユニット200は特に、
端末のタッチディスプレイスクリーンのプリセットエリア上において、ユーザによって実行された選択操作を連続的に検出し、選択操作のための持続時間に従って、メディアの再生回数の数を決定するように構成される。
【０１２８】
オプションとして、有効化ユニット100が、再生回数の数を設定する機能を有効にする前に、第2の検出ユニット400は特に、
端末のタッチディスプレイスクリーンのプリセットエリア上において、ユーザによって実行されたスライド操作を検出するように構成され、
第1の検出ユニット200は特に、
端末のタッチディスプレイスクリーンのプリセットエリア上において、ユーザによって実行されたスライド操作を連続的に検出し、
スライド操作の軌跡の方向および長さに従って、メディアの再生回数の数を調節するように構成される。
【０１２９】
オプションとして、ユーザの入力コマンドを検出し、入力コマンドに従って、メディアの再生回数の数を決定する場合、第1の検出ユニット200は、ユーザの第1の操作を検出し、有効化ユニット100が、再生回数の数を設定する機能を有効にする前に、第2の検出ユニット400が、ユーザの第2の操作を検出する。これら2つの操作は同じタイプのものであり、時間的に連続している。
【０１３０】
図9を参照すると、図9は、本発明に従ってメディアを再生するための端末の第3の実施形態の構成の概要図である。この実施形態では、端末は、
再生回数の数を設定する機能を有効にするように構成された有効化ユニット100と、
ユーザの入力コマンドを検出し、入力コマンドに従って、メディアの再生回数の数を決定するように構成された第1の検出ユニット200と、
再生回数の数に従ってメディアを再生するように構成された再生ユニット300とを含む。
【０１３１】
オプションとして、端末はさらに、
有効化ユニット100が再生回数の数を設定する機能を有効にする前に、以下のステップ、すなわち、
音声を使用することによってユーザによって入力されたプリセットコマンドを検出するステップと、
端末の移動軌跡が、プリセット軌跡と合致していることを検出するステップと、
端末のタッチディスプレイスクリーンのプリセットエリア上において、ユーザによって実行されたタップ操作を検出するステップと、
端末上においてユーザによって実行されたノック操作を検出するステップと、
端末のタッチディスプレイスクリーンのプリセットエリア上において、ユーザによって実行されたスライド操作を検出するステップと、
端末のタッチディスプレイスクリーンのプリセットエリア上において、ユーザによって実行された選択操作のための持続時間が、第1のプリセット持続時間に達したことを検出するステップと、
端末の指定されたキー上において、ユーザによって実行された押圧操作を検出するステップと、
端末のタッチディスプレイスクリーンのプリセットエリアに触れたユーザの指の数が、プリセット数に達したことを検出するステップと、のうちの少なくとも1つを実行するように構成された第2の検出ユニット400を含む。
【０１３２】
第1の検出ユニット200は、以下のステップ、すなわち、
音声を使用することによってユーザによって入力された再生回数の数を検出し、メディアの再生回数の数が、音声を使用することによって入力された再生回数の数であると判定するステップと、
端末のタッチディスプレイスクリーンのプリセットエリアに触れたユーザの指の数を検出し、メディアの再生回数の数が、指の数であると判定するステップと、
ユーザによって端末を振った回数の数を検出し、メディアの再生回数の数が、ユーザによって端末を振った回数の数であると判定するステップと、
ユーザによって端末のタッチディスプレイスクリーンのプリセットエリアをタップした回数の数を検出し、メディアの再生回数の数が、タップ回数の数であると判定するステップと、
端末のタッチディスプレイスクリーンのプリセットエリア上においてユーザによって実行されたスライド操作の軌跡を検出し、スライド操作の軌跡の長さに従って、または、軌跡の長さおよび方向に従って、メディアの再生回数の数を決定するステップと、
端末のタッチディスプレイスクリーンのプリセットエリア上において、ユーザによって実行された選択のための持続時間を検出し、選択のための持続時間に従って、メディアの再生回数の数を決定するステップと、
端末のタッチディスプレイスクリーンのプリセットエリア上において、ユーザによって選択された2つのポイント間の距離を検出し、この距離に従って、メディアの再生回数の数を決定するステップと、のうちのいずれか1つを実行するように構成される。
【０１３３】
端末はさらに、
第1の検出ユニット200が、メディアの再生回数の数を決定した後、メディアの再生回数の数を表示するように構成されたディスプレイユニット500と、
再生ユニット300が再生回数の数に従ってメディアを再生している場合、ユーザによって入力されたキャンセル命令が受信されたのであれば、再生回数の数に従って、実行されるメディアの再生を停止するように構成されたキャンセルユニット600とを含む。
【０１３４】
再生ユニット300が、再生回数の数に従ってメディアを再生した後、または、キャンセルユニット600が、ユーザによって入力されたキャンセル命令を受信し、再生回数の数に従って、実行されるメディアの再生を停止した後、再生ユニット300はさらに、
メディアリストおよびプリセット再生ルールに従って、メディアリストにおけるメディアを再生するように構成される。
【０１３５】
上述した有効化ユニット100、第1の検出ユニット200、再生ユニット300、ディスプレイユニット500、再生ユニット300、ディスプレイユニット500、またはキャンセルユニット600は、独立してまたは統合方式で配置され得ることが注目されるべきである。それに加えて、上述した有効化ユニット100、第1の検出ユニット200、再生ユニット300、ディスプレイユニット500、キャンセルユニット600、再生ユニット300、ディスプレイユニット500、およびキャンセルユニット600は、ハードウェアの形態で、端末のプロセッサと独立して個別に配置され得る、個別に配置され得る、または、マイクロプロセッサとして統合方式で配置され得る、端末のプロセッサに組み込まれ得る、または、ソフトウェアの形態で、端末のメモリに記憶され得る。これによって、端末のプロセッサは、上述した有効化ユニット100、第1の検出ユニット200、再生ユニット300、ディスプレイユニット500、キャンセルユニット600、再生ユニット300、ディスプレイユニット500、およびキャンセルユニット600を起動し、対応する操作を実行する。
【０１３６】
たとえば、本発明のメディアを再生するための端末の第1の実施形態(図7に図示される実施形態)では、開始ユニットは、端末のプロセッサであり、第1の検出ユニットおよび再生ユニット300の機能がプロセッサに組み込まれ得るか、または、プロセッサと独立して個別に配置され得るか、または、ソフトウェアの形態でメモリに記憶され得る。第1の検出ユニット200および再生ユニット300の機能は、プロセッサによって起動され実現される。再生ユニット300は、メディア再生装置として使用され、有効化ユニット100によって制御される。本発明のメディアを再生するための端末の第2の実施形態(図8に図示される実施形態)では、第2の検出ユニット400がさらに含まれる。第2の検出ユニット400は、第1の検出ユニット200と統合され得るか、または、独立して配置され得るか、または、端末のインターフェース回路として使用され、ユーザ操作を検出し、識別を実行するように構成され、独立して配置され得るか、または、プロセッサと統合され得る。図9に図示される第3の実施形態では、再生ユニット500は、端末の出力装置として使用され得る。そして、キャンセルユニット600が、有効化ユニット100と統合され得るか、または、独立して配置され得る。これは、本発明のこの実施形態では限定されない。前述したプロセッサは、中央処理装置(CPU)、マイクロプロセッサ、シングルチップマイクロコンピュータ等であり得る。
【０１３７】
図10を参照すると、図10は、本発明に従ってメディアを再生するための端末の第4の実施形態の構成の概要図である。この実施形態では、端末は、
再生回数の数を設定する機能を有効にするように構成されたプロセッサ110と、
ユーザの入力コマンドを検出するように構成された入力装置120とを含み、
プロセッサ110はさらに、入力コマンドに従って、メディアの再生回数の数を決定し、再生回数の数に従ってメディアを再生するように、メディア出力装置140に対して命令するように構成され、
端末はさらに、再生回数の数に従ってメディアを再生するように構成されたメディア再生装置130を含む。
【０１３８】
オプションとして、メディアは、
端末によって現在再生されているオーディオファイルまたはビデオファイルを含み、
メディア再生装置130は特に、
端末によって現在再生されているオーディオファイルまたはビデオファイルを、再生回数の数に達するまで再生するように構成される。
【０１３９】
あるいは、メディアは、
再生されるべきであると選択されたオーディオファイル、または、再生されるべきであると選択されたビデオファイルを含み、
メディア再生装置130は特に、
再生されるべきであると選択されたオーディオファイル、または、再生されるべきであると選択されたビデオファイルを、再生回数の数に達するまで再生するように構成される。
【０１４０】
オプションとして、再生回数の数を設定する機能がトリガされた場合、入力装置120はさらに、
プロセッサ110が再生回数の数を設定する機能を有効にする前に、以下のステップ、すなわち、
音声を使用することによってユーザによって入力されたプリセットコマンドを検出するステップであって、この場合、入力装置120はマイクロホンであり得る、検出するステップと、
端末の移動軌跡がプリセット軌跡と合致していることを検出するステップであって、この場合、入力装置120は、加速度センサ、ジャイロセンサ、または電子コンパスセンサのような1つまたは複数のタイプのセンサであり得る、検出するステップと、
端末のタッチディスプレイスクリーンのプリセットエリア上において、ユーザによって実行されたタップ操作を検出するステップであって、この場合、入力装置120は、タッチディスプレイスクリーンであり得る、検出するステップと、
端末上においてユーザによって実行されたノック操作を検出するステップであって、この場合、入力装置120は、タッチディスプレイスクリーンであり得る、検出するステップと、
端末のタッチディスプレイスクリーンのプリセットエリア上において、ユーザによって実行されたスライド操作を検出するステップであって、この場合、入力装置120は、タッチディスプレイスクリーンであり得る、検出するステップと、
端末のタッチディスプレイスクリーンのプリセットエリア上において、ユーザによって実行された選択操作のための持続時間が、第1のプリセット持続時間に達したことを検出するステップであって、この場合、入力装置120は、タッチディスプレイスクリーンであり得る、検出するステップと、
端末の指定されたキー上において、ユーザによって実行された押圧操作を検出するステップであって、この場合、入力装置120は、タッチディスプレイスクリーンであるか、またはキーに接続された信号送信回路であり得る、検出するステップと、
端末のタッチディスプレイスクリーンのプリセットエリアに触れたユーザの指の数が、プリセット数に達したことを検出するステップであって、この場合、入力装置120は、タッチディスプレイスクリーンであり得る、検出するステップと、のうちの少なくとも1つを実行するように構成される。
【０１４１】
再生回数の数が決定されている場合、入力装置120は特に、音声を使用することによってユーザによって入力された再生回数の数を検出するように構成され、プロセッサ110は特に、メディアの再生回数の数が、音声を使用することによって入力された再生回数の数であると判定するように構成されるか、または、
入力装置120は特に、端末のタッチディスプレイスクリーンのプリセットエリアに触れたユーザの指の数を検出するように構成され、プロセッサ110は特に、メディアの再生回数の数が、指の数であると判定するように構成されるか、または、
入力装置120は特に、ユーザによって端末を振った回数の数を検出するように構成され、プロセッサ110は特に、メディアの再生回数の数がユーザによって端末を振った回数の数であると判定するように構成されるか、または、
入力装置120は特に、ユーザによる端末のタッチディスプレイスクリーンのプリセットエリアをタップした回数の数を検出するように構成され、プロセッサ110は特に、メディアの再生回数の数が、タップ回数の数であると判定するように構成されるか、または、
入力装置120は特に、端末のタッチディスプレイスクリーンのプリセットエリア上において、ユーザによって実行されたスライド操作の軌跡を検出するように構成され、プロセッサ110は特に、スライド操作の軌跡の長さに従って、または、軌跡の長さおよび方向に従って、メディアの再生回数の数を決定するように構成されるか、または、
入力装置120は特に、端末のタッチディスプレイスクリーンのプリセットエリア上において、ユーザによって実行された選択のための持続時間を検出するように構成され、プロセッサ110は特に、選択のための持続時間に従って、メディアの再生回数の数を決定するように構成されるか、または、
入力装置120は特に、端末のタッチディスプレイスクリーンのプリセットエリア上において、ユーザによって選択された2つのポイント間の距離を検出するように構成され、プロセッサ110は特に、この距離に従って、メディアの再生回数の数を決定するように構成される。
【０１４２】
オプションとして、入力装置120は特に、
端末のタッチディスプレイスクリーンのプリセットエリア上において、ユーザによって実行された選択操作のための持続時間が、第1のプリセット持続時間に達したことを検出するように構成され、
プロセッサ110は特に、
端末のタッチディスプレイスクリーンのプリセットエリア上において、ユーザによって実行された選択操作のための持続時間が、第1のプリセット持続時間に達したことを入力装置120が検出した後、再生回数の数を設定する機能を有効にするように構成され、
入力装置120は特に、
端末のタッチディスプレイスクリーンのプリセットエリア上において、ユーザによって実行された選択操作を連続的に検出するように構成され、
プロセッサ110は特に、
選択操作のための持続時間に従って、メディアの再生回数の数を決定するように構成される。
【０１４３】
オプションとして、入力装置120は特に、
端末のタッチディスプレイスクリーンのプリセットエリア上において、ユーザによって実行されたスライド操作を検出するように構成され、
プロセッサ110は特に、
入力装置120が、端末のタッチディスプレイスクリーンのプリセットエリア上において、ユーザによって実行されたスライド操作を検出した後、再生回数の数を設定する機能を有効にするように構成され、
入力装置120は特に、
端末のタッチディスプレイスクリーンのプリセットエリア上において、ユーザによって実行されたスライド操作を連続的に検出するように構成され、
プロセッサ110は特に、
スライド操作の軌跡の方向および長さに従って、メディアの再生回数の数を調節するように構成される。
【０１４４】
オプションとして、入力装置120が、ユーザの入力コマンドを検出し、プロセッサ110が、入力コマンドに従って、メディアの再生回数の数を決定した場合、入力装置120は、ユーザの第1の操作を検出し、プロセッサ110が再生回数の数を設定する機能を有効にする前に、入力装置120は、ユーザの第2の操作を検出する。ここで、これら2つの操作は、同じタイプのものであり、時間的に連続している。
【０１４５】
端末はさらに、
プロセッサ110がメディアの再生回数の数を決定した後、メディアの再生回数の数を表示するように構成されたディスプレイスクリーン140(図面に図示せず)を含む。
【０１４６】
入力装置120はさらに、メディア再生装置130が再生回数の数に従ってメディアを再生している場合、ユーザによって入力されたキャンセル命令を受信するように構成され、
プロセッサ110はさらに、再生回数の数に従って実行されるメディアの再生を停止するようにメディア再生装置に対して命令するように構成され、メディア再生装置130はさらに、再生回数の数に従って実行されるメディアの再生を、プロセッサ110の命令に従って停止するように構成される。
【０１４７】
メディア再生装置130が、再生回数の数に従ってメディアを再生した後、または、入力装置120が、ユーザによって入力されたキャンセル命令を受信し、プロセッサ110が、再生回数の数に従って実行されるメディアの再生を停止するようにメディア再生装置130へ命令した後、メディア再生装置130はさらに、
メディアリストおよびプリセット再生ルールに従って、メディアリストにおけるメディアを再生するように構成される。
【０１４８】
この明細書の実施形態は、累進的な方式で記述されていることが注目されるべきである。各実施形態の記述は、他の実施形態からの差に注目する。実施形態の同じまたは類似の部分については、互いに対する参照がなされ得る。装置実施形態については、装置実施形態は、方法実施形態に基本的に類似しているので、簡潔に記述され、関連する部分については、方法実施形態の記述の一部に対する参照がなされ得る。
【０１４９】
前述した実施形態の記述に従って、本発明は以下の利点を有する。
【０１５０】
再生回数の数を設定する機能が、端末上に構成され、メディアの再生回数の数は、検出されたユーザの入力コマンドに従って決定され、最後に、メディアは、決定された再生回数の数に従って再生される。これは、端末上においてメディアを再生するための既存の方法を改善し、同じメディアが繰り返し再生される必要がある場合、端末の操作が比較的複雑になるという問題を解決し、メディアの再生回数の数が、直接的に、かつ便利に設定されることを有効にし、端末の利便性および有用性を高める。
【０１５１】
当業者であれば、この実施形態における方法の処理のうちのすべてまたはいくつかが、関連するハードウェアに対して命令するコンピュータプログラムによって実現され得ることを理解し得る。プログラムは、コンピュータ読取可能な記憶媒体に記憶され得る。プログラムが動作する場合、この実施形態における方法の処理が実行される。前述した記憶媒体は、磁気ディスク、光ディスク、読取専用メモリ(Read-Only Memory、略してROM)、ランダムアクセスメモリ(Random Access Memory、略してRAM)等を含み得る。
【０１５２】
上記開示されたものは、本発明の単なる典型的な実施形態であり、本発明の保護範囲を限定することはもちろん意図されていない。したがって、本発明の特許請求の範囲に従ってなされる等価な変形は、本発明の範囲内にあるものとする。
【符号の説明】
【０１５３】
1  メディア
2  メディア
3  メディア
4  メディア
100  有効化ユニット
110  プロセッサ
120  入力装置
130  メディア再生装置
140  メディア出力装置、ディスプレイスクリーン
200  第1の検出ユニット
300  再生ユニット
400  第2の検出ユニット
500  ディスプレイユニット
600  キャンセルユニット
【図１】
0006265401.tif 000002
【図２】
0006265401.tif 000003
【図３】
0006265401.tif 000004
【図４】
0006265401.tif 000005
【図５】
0006265401.tif 000006
【図６】
0006265401.tif 000007
【図７】
0006265401.tif 000008
【図８】
0006265401.tif 000009
【図９】
0006265401.tif 000010
【図１０】
0006265401.tif 000011